(57)【特許請求の範囲】
【請求項１】
調理プレートと、該調理プレートが載置される調理器本体と、該調理器本体の内側に配設され、上記調理プレートの底面に接触して上記調理プレートを加熱する電熱ヒータとを備えるとともに、上記調理プレートを、上記調理器本体に対してセットされる受けプレートと、該受けプレート底部の開口部を介し、調理用途に応じて任意にセットされる複数枚の交換プレートとにより構成してなる加熱調理器であって、収納時には、上記複数枚の交換プレートは、その重合状態において、それらの上下両面が上下一対のカバー部材からなる収納ボックス内に収納された状態で、上記受けプレートと蓋体との間に収納されるように構成されており、上記収納ボックスのカバー部材には、上記交換プレートの乾燥を促進させるための通気口を設けたことを特徴とする加熱調理器。
【請求項２】
上記収納ボックスの適所には、調理用のヘラを収納するヘラ収納部を設けたことを特徴とする請求項１記載の加熱調理器。
【請求項３】
調理プレートと、該調理プレートが載置される調理器本体と、該調理器本体の内側に配設され、上記調理プレートの底面に接触して上記調理プレートを加熱する電熱ヒータとを備えるとともに、上記調理プレートを、上記調理器本体に対してセットされる受けプレートと、該受けプレート底部の開口部を介し、調理用途に応じて任意にセットされる複数枚の交換プレートとにより構成してなる加熱調理器であって、収納時には、上記複数枚の交換プレートは、その重合状態において、各交換プレートの端部のみを当該端部のみに対応する収納ボックス部分で一括りに纏めて一体化し、上記受けプレートと蓋体との間に収納されるように構成されていることを特徴とする加熱調理器。
【請求項４】
調理プレートと、該調理プレートが載置される調理器本体と、該調理器本体の内側に配設され、上記調理プレートの底面に接触して上記調理プレートを加熱する電熱ヒータとを備えるとともに、上記調理プレートを、上記調理器本体に対してセットされる受けプレートと、該受けプレート底部の開口部を介し調理用途に応じて任意にセットされる複数枚の交換プレートとにより構成してなる加熱調理器であって、収納時には、上記複数枚の交換プレートは、その重合状態において、各交換プレートの端部のみを当該端部のみに対応する収納ボックス部分で相互の間に隙間を介在させた状態で一括りに纏めて一体化し、上記受けプレートと蓋体との間に収納されるように構成されていることを特徴とする加熱調理器。
【請求項５】
調理プレートと、該調理プレートが載置される調理器本体と、該調理器本体の内側に配設され、上記調理プレートの底面に接触して上記調理プレートを加熱する電熱ヒータとを備えるとともに、上記調理プレートを、上記調理器本体に対してセットされる受けプレートと、該受けプレート底部の開口部を介し調理用途に応じて任意にセットされる複数枚の交換プレートとにより構成してなる加熱調理器であって、収納時には、上記複数枚の交換プレートは、その重合状態において、同複数枚の交換プレートの端部のみを当該端部のみに対応する収納ボックスで一括りに纏めて上記受けプレートと強度の高い蓋体端部との間に収納されるように構成されていることを特徴とする加熱調理器。
【発明の詳細な説明】
【技術分野】
【０００１】
本願発明は、加熱調理器に関し、さらに詳しくは複数枚の加熱調理プレートを備えた加熱調理器に関するものである。
【背景技術】
【０００２】
最近では、ホットプレート等の加熱調理器の多くのものが、例えば１台の加熱台に対して、調理の用途（調理すべき料理の種類）に応じた複数種類の加熱調理プレート（加熱皿）を備え、そのうちの何れか最適なものを選んでセットして使用できるように構成された多機能型のものとなっている。
【０００３】
そして、このような多機能型加熱調理器の中には、単に外枠およびプレート部が一体となった１枚ものの単独の加熱調理プレートを用途に応じて取り換えるようにしたものだけでなく、例えば１枚ものの単独の平面プレートに加えて、さらに同平面プレートと同一の大きさおよび形状をなすプレートの底部を開口させた構造の枠プレート（受けプレート）と該枠プレートの当該底部側開口部の大きさと形状に対応し、同開口部に対して任意に嵌合セットされる調理用途に応じた複数種類の交換プレートとの３種類のプレート部材とから構成し、平面的な加熱プレートに変えて加熱台側にセットした上記枠プレートの上記開口部に対してそれら複数種の何れか所望の交換プレートを選んで間接的に嵌合セットすることにより、例えば焼き肉、たこ焼き、その他の各種の調理用途に対応できるようにしたものがある（例えば、特許文献１、特許文献２を参照）。
【０００４】
このような複数枚の交換プレートを有する加熱調理器の場合、上述のように枠プレートを基本プレートとして各交換プレートに兼用できることから、前述した単独１枚ものの構造の加熱調理プレートを個別に複数枚準備する場合に比べて、遥かに低コストで済む。また、使用した加熱調理プレートの洗浄も容易で、その収納状態もコンパクトなものになる。
【０００５】
そして、同収納は、例えば加熱台本体側に先ず平面プレートを嵌合セットし、その上に枠プレートをセットする。その後、該枠プレートに対してたこ焼きプレート等の凸部を有する構造の交換プレートを嵌合し、さらに、その上に焼き肉プレート等の波形構造の交換プレートを重ねて上方から蓋を被せ、加熱台と蓋の外周をバインディング部材でバインディングするか、又は蓋と加熱台本体の各両端部分間に係脱可能なロックレバーを設けて相互にロックすることにより一体化して、例えば収納棚の空きスペース等に縦置きで収納する収納方法が採用されていた。
【０００６】
また、このように縦置き収納するに際して、上記加熱台の一例に設けた脚部を利用したり、また上記のようなバインディング手段又はロックレバー手段とは別に、専用の収納スタンドを準備しておき、該収納スタンドを使用して縦置き収納する収納方法なども採用されていた（例えば、特許文献３を参照）。
【０００７】
ところが、これらのような構成の場合、その何れの収納方法であっても、交換プレート同士はもちろん、枠プレートや蓋に対して交換プレートがある程度の隙間を有して直接接触しており、その当接面同士がガタツキや衝撃等によって傷付きやすい（塗装がはげる）という欠点を持っている。
【０００８】
そこで、従来から上記複数枚の交換プレートの上下両面をカバーする上下一対のカバー部材を有する収納ボックスを設け、該収納ボックス内に収納した状態において本体側上部の枠プレートの枠内に配置し、下部側の平面プレートと蓋部材との間に安定した状態で収納セットするようにした収納構造が採用されている（例えば、特許文献４を参照）。
【先行技術文献】
【特許文献】
【０００９】
【特許文献１】特開２００２−２９１６２１号公報
【特許文献２】特開２００３−５２５４８号公報
【特許文献３】特開平８−２５２１８１号公報
【特許文献４】特許第３７７２８５６号公報
【発明の概要】
【発明が解決しようとする課題】
【００１０】
ところで、上記特許文献４に開示されている加熱調理器の収納ボックスの場合、相互に対向する上下カバー部材のカバー面が「たこ焼」プレートの球面側凸部を嵌合させる部分を除いて盲面となっており、同状態で複数枚の交換プレートの上下両面をカバーしているため、例えば交換プレートを洗浄後に濡れた状態で収納したりすると、通気性が不十分なため、乾きにくい。そのため、カビの発生を招くなど、不衛生であるという問題点があった。
【００１１】
また、加熱調理器では、上記平面プレートで焼そばを焼く時などには、一般に混ぜ返し用の「ヘラ」が使用されることから、付属品として「ヘラ」が付いている。この「ヘラ」は、当初は加熱調理器を梱包している箱の緩衝材部分に収納されているが、開梱後は収納場所がなく食器棚など別の場所に収納することになるため、紛失しやすかった。
【００１２】
本願発明は、このような課題を解決するためになされたものであり、交換プレートを収納するための収納ボックスに通気用の開口部を設けて、収納ボックス内の通気性を確保することにより、交換プレートを濡れた状態で収納した場合であっても、乾き易くするとともに、収納ボックスの成型材料減による軽量化とコストダウンとを図ることを目的とするものである。
【課題を解決するための手段】
【００１３】
本願発明は、上記の目的を達成するために、次のような課題解決手段を備えて構成されている。
【００１４】
（１）  請求項１の発明
この発明の加熱調理器は、調理プレートと、該調理プレートが載置される調理器本体と、該調理器本体の内側に配設され、上記調理プレートの底面に接触して上記調理プレートを加熱する電熱ヒータとを備えるとともに、上記調理プレートを、上記調理器本体に対してセットされる受けプレートと、該受けプレート底部の開口部を介し、調理用途に応じて任意にセットされる複数枚の交換プレートとにより構成してなる加熱調理器であって、収納時には、上記複数枚の交換プレートは、その重合状態において、それらの上下両面が上下一対のカバー部材からなる収納ボックス内に収納された状態で、上記受けプレートと蓋体との間に収納されるように構成されており、上記収納ボックスのカバー部材には、上記交換プレートの乾燥を促進させるための通気口を設けたことを特徴としている。
【００１５】
このように構成したことにより、先ず上記複数枚の交換プレートが上下一対のカバー部材からなる収納ボックス内にガタ付きなく安定した状態で収納されることになり、それら相互の摺動による傷の発生を防止することができる。
【００１６】
また、同複数枚の交換プレートは、上記収納ボックス内に収納された状態で、上記調理器本体側にセットされた受けプレートと蓋体との間にガタ付きなく安定した状態で収納固定されることになり、同収納状態では、上記交換プレートと受けプレート同士が直接衝合して損傷するようなことがなく、それらの全体を安定したソフトな状態で一体に収納することができる。
【００１７】
しかも、上記収納ボックスのカバー部材には、上記交換プレートの乾燥を促進させるための通気口を設けていることから、仮に濡れた状態の交換プレートを収納したとしても、収納ボックス内と調理器外方との十分な通気性が確保されることになり、収納された交換プレートの乾燥性が向上する。
【００１８】
また、収納ボックスは、上記通気口の開口面積分だけ成型材料が低減され、軽量かつ低コストなものになる。
【００１９】
（２）  請求項２の発明
この発明の加熱調理器は、上記請求項１の発明にかかる加熱調理器において、上記収納ボックスの適所には、調理用のヘラを収納するヘラ収納部を設けたことを特徴としている。
【００２０】
このようにすると、調理用のヘラが常に収納ボックスと一緒の状態で保管可能となることから、収納も容易で、従来のように別の場所に保管した調理用のヘラを探さなくともよくなり、調理用ヘラの収納性、保管性、使い勝手が何れも向上する。
【００２１】
（３）  請求項３の発明
この発明の加熱調理器は、調理プレートと、該調理プレートが載置される調理器本体と、該調理器本体の内側に配設され、上記調理プレートの底面に接触して上記調理プレートを加熱する電熱ヒータとを備えるとともに、上記調理プレートを、上記調理器本体に対してセットされる受けプレートと、該受けプレート底部の開口部を介し、調理用途に応じて任意にセットされる複数枚の交換プレートとにより構成してなる加熱調理器であって、収納時には、上記複数枚の交換プレートは、その重合状態において、各交換プレートの端部のみを当該端部のみに対応する収納ボックス部分で一括りに纏めて一体化し、上記受けプレートと蓋体との間に収納されるように構成されていることを特徴としている。
【００２２】
このような構成によれば、複数枚の交換プレートの端部のみを当該端部のみに対応した収納ボックスで一括りに纏めて一体化し、受けプレートと蓋体との間に収納されることから、複数枚の交換プレートが収納ボックス内にガタ付きなく安定した状態でソフトに収納され、相互の摺動による傷等の発生を防止することができる。
【００２３】
しかも、上記収納ボックスは、上記交換プレートの端部のみを当該端部のみに対応する収納ボックスで一括りに纏めるようになっており、交換プレート両端の収納ボックスと収納ボックスとの間には何もなく、フリーの開放空間となっており、濡れた状態で交換プレートを収納したとしても、収納ボックス内と外方との間は全くフリーな状態で通気性が確保されることになり、上述のものに比べて遥かに大きく、収納された交換プレートの乾燥性が向上するとともに、収納ボックスの軽量化、低コスト化をも図ることができる。
【００２４】
（４）  請求項４の発明
この発明の加熱調理器は、調理プレートと、該調理プレートが載置される調理器本体と、該調理器本体の内側に配設され、上記調理プレートの底面に接触して上記調理プレートを加熱する電熱ヒータとを備えるとともに、上記調理プレートを、上記調理器本体に対してセットされる受けプレートと、該受けプレート底部の開口部を介し調理用途に応じて任意にセットされる複数枚の交換プレートとにより構成してなる加熱調理器であって、収納時には、上記複数枚の交換プレートは、その重合状態において、各交換プレートの端部のみを当該端部のみに対応する収納ボックス部分で相互の間に隙間を介在させた状態で一括りに纏めて一体化し、上記受けプレートと蓋体との間に収納されるように構成されていることを特徴としている。
【００２５】
このような構成によれば、複数枚の交換プレートの端部のみを当該端部のみに対応した収納ボックスで一括りに纏めて一体化して、枠プレートと蓋体との間に収納されることから、複数枚の交換プレートが収納ボックス内にガタ付きなく安定した状態でソフトに収納され、相互の摺動による傷等の発生を防止することができる。
【００２６】
また、複数枚の交換プレートの端部のみを当該端部のみに対応する収納ボックスで、相互の間に隙間を介在させた状態で一括りに纏めて収納されるようにしたことにより、収納ボックス内で交換プレート同士とが直接触れ合うことがなくなり、収納ボックス内で交換プレート同士が直接接触して両者に傷が付くのを防止することができる。
【００２７】
しかも、上記収納ボックスは、上記交換プレートの端部のみに対応して上記交換プレートの端部を一括りに纏めるものなので、それらの間には何もなく、フリーな開放空間となっており、濡れた状態で交換プレートを収納したとしても、収納ボックス内と外方との大きな通気性が確保されることになり、収納された交換プレートの乾燥性が向上するとともに、収納ボックスの軽量化、低コスト化を図ることができる。
【００２８】
（５）  請求項５の発明
この加熱調理器は、調理プレートと、該調理プレートが載置される調理器本体と、該調理器本体の内側に配設され、上記調理プレートの底面に接触して上記調理プレートを加熱する電熱ヒータとを備えるとともに、上記調理プレートを、上記調理器本体に対してセットされる受けプレートと、該受けプレート底部の開口部を介し調理用途に応じて任意にセットされる複数枚の交換プレートとにより構成してなる加熱調理器であって、収納時には、上記複数枚の交換プレートは、その重合状態において、同複数枚の交換プレートの端部のみを当該端部のみに対応する収納ボックスで一括りに纏めて上記受けプレートと強度の高い蓋体端部との間に収納されるように構成されていることを特徴としている。
【００２９】
このような構成によれば、複数枚の交換プレートの端部のみを当該端部のみに対応した収納ボックスで一括りに纏めて一体化して、受けプレートと蓋体との間に収納されることから、複数枚の交換プレートが収納ボックス内にガタ付きなく安定した状態でソフトに収納され、相互の摺動による傷等の発生を防止することができる。
【００３０】
また、複数枚の交換プレートは、受けプレートとカーリング加工されている等の強度の高い蓋体端部との間に収納されるように構成されているので、落下時においても、交換プレートが同剛性が強化されている蓋体端部部分と衝合することになり、途中の平面部におけるような蓋体の変形を防止することができる。
【００３１】
しかも、上記収納ボックスは、上記交換プレートの全体をカバーするのではなく、その両端部のみを当該端部のみに対応して一括りに纏めて一体化するものなので、左右の収納ボックス間には何もなく、全くフリーな開放空間となっている。
【００３２】
したがって、濡れた状態で交換プレートを収納一体化したとしても、収納ボックス内と外方との通気性が十分に確保されることとなり、収納された交換プレートの乾燥性が大きく向上するとともに、収納ボックスの軽量化、低コスト化をも図ることができる。
【発明の効果】
【００３３】
以上の結果、本願発明によると、複数枚の交換プレートが収納ボックス内にガタ付きなく安定した状態で収納されることになり、相互の摺動による傷等の発生を確実に防止することができる。
【００３４】
また、同複数枚の交換プレートは、上記収納ボックス内に収納された状態で、収納ボックスを介して上記加熱台側にセットされた枠プレートと蓋体との間にガタ付きなく安定してソフトに収納固定されることになり、同収納固定状態では、それらの全体を安定した縦置き状態で収納することもできるようになる。
【００３５】
しかも、上記収納ボックスに濡れた状態で交換プレートを収納したとしても、収納ボックス内と外方との間には十分な通気性が確保されているので、収納された交換プレートの乾燥性が向上するとともに、収納ボックス自体の軽量化、低コスト化をも図ることができるという効果もある。
【図面の簡単な説明】
【００３６】
【図１】本願発明の第１の実施の形態にかかる加熱調理器の全体構造を示す平面図である。
【図２】図１のＡ−Ａ断面図である。
【図３】同加熱調理器における調理器本体を構成する本体ケースの全体構造を示す斜視図である。
【図４】図３に示す本体ケースの平面図である。
【図５】同加熱調理器におけるたこ焼きプレート又は波形（焼き肉）プレート使用時（イメージ状態）の一部切欠平面図である。
【図６】同加熱調理器における調理器本体の一方側の係合部材（ロックレバー）の構成を示す要部拡大平面図である。
【図７】同加熱調理器における調理器本体の他方側の係合部材（ロックレバー）の構成を示す要部拡大平面図である。
【図８】同加熱調理器における調理器本体の上記他方側の係合部材（ロックレバー）単独の構成を示す拡大正面図である。
【図９】同加熱調理器における交換プレート収納ボックスを使用した交換プレート収納状態を示す中央部左右方向の断面図（図１４のＢ−Ｂ断面図）である。
【図１０】同交換プレート収納ボックスの閉成状態の中央部左右方向の断面図を中心として、その上方側に切断部より後方側の上面図、その下方側に切断部より後方側の下面図を対応させた図である。
【図１１】同交換プレート収納ボックスの開状態の外面図である。
【図１２】同交換プレート収納ボックスの閉操作時におけるロック片係合前の状態の一部断面図である。
【図１３】同交換プレート収納ボックスの閉操作時におけるロック片係合後の状態の一部断面図である。
【図１４】同交換プレート収納ボックスの閉成状態を示す斜視図である。
【図１５】同加熱調理器における調理用のヘラの収納状態の変形例１の構成を示す本体ケース裏面側から見た斜視図である。
【図１６】同加熱調理器における調理用のヘラの収納状態の変形例２の構成を示す本体ケース裏面側から見た斜視図である。
【図１７】同加熱調理器における調理用のヘラの収納状態の変形例３の構成を示す調理器縦置き状態での側面図である。
【図１８】本願発明の第２の実施の形態にかかる加熱調理器における交換プレート収納ボックスによる収納状態を示す斜視図である。
【図１９】同加熱調理器における交換プレート収納ボックスの一方側の収納ボックスユニットの構成を示す拡大斜視図である。
【図２０】同加熱調理器における交換プレート収納ボックスの収納過程を示す中央部左右方向の要部拡大断面図である。
【図２１】同加熱調理器における交換プレート収納ボックスの収納完了状態を示す中央部左右方向の要部拡大断面図である。
【図２２】同加熱調理器における交換プレート収納ボックスの受けプレート内への収納完了状態における要部の構成を示す幅方向（前後方向）の要部拡大断面図である。
【図２３】同加熱調理器の図１９における収納ボックスのＸ部に交換プレートの一端を収納した状態を示す要部拡大断面図である。
【図２４】同加熱調理器の図１９における収納ボックスのＹ部に交換プレートの一端を収納した状態を示す要部拡大断面図である。
【発明を実施するための形態】
【００３７】
以下、添付の図面（図１〜図２４）を参照して、本願発明の幾つかの実施の形態について説明する。
【００３８】
（１）  第１の実施の形態
＜交換プレート収納時における加熱調理器全体の構成：図１および図２参照＞
図１および図２は、収納時における本実施の形態の加熱調理器の全体的な構成を示している。
【００３９】
この実施の形態にかかる加熱調理器は、一般にホットプレートと称されるものであり、例えば図１および図２に示すように、大きく分けてヒータを有する調理器本体１と、使用時において、上記調理器本体１の開口部上に択一的な関係で載置される平面プレート２又は受けプレート３（それぞれ左右両端側中央に把手２Ｌ，２Ｒ  ３Ｌ，３Ｒを有している）と、同じく使用時において、上記受けプレート３を介して上記調理器本体１の開口部上に択一的に載置されるたこ焼きプレート４又は波形プレート５（このたこ焼きプレート４と波形プレート５は、非使用状態である図示収納状態では後述する樹脂製の交換プレート収納ボックスに入れた状態で平面プレート２の上に載せられた受けプレート３の開口部内に収納されている）と、使用時においては、各プレート２〜５のうちの使用中のもの、収納時においては、それら各プレート２〜５を覆う図示の状態で上記調理器本体１の開口部上に嵌合される蓋体６と、この蓋体６と上記調理器本体１とを相互に係合一体化する蓋体６側の係合部２８，２９および調理器本体１側の係合部材２１，２２とから構成されている。
【００４０】
＜調理器本体の構成：図３〜図８参照＞
調理器本体１は、例えば図３および図４に示すように、合成樹脂により全体として矩形形状の皿型構造に成型された本体ケース１１と、この本体ケース１１の内底部上に脚部２７，２７，２７，２７を介して収納する形で配設された全体として矩形形状の皿型構造の金属製の遮熱容器１２と、この遮熱容器１２の底部上面側に配設された略平面Ｙ字形状の電熱ヒータ７（図５参照、なお図２の収納状態では外部から見えないため図示を省略している）と、上記本体ケース１１の上縁部１１ａの全周に亘って設けられた火傷防止用の合成樹脂製の本体ガード１３と、上記本体ケース１１の底部四隅に設けられた平置き用の脚部１５ａ，１５ａ，１５ａ，１５ａと、上記本体ケース１１の幅方向の一側部両端側に設けられた縦置き用の脚部１５ｂ，１５ｂとから構成されている。
【００４１】
なお、上記電熱ヒータ７は、例えば図５のように、コントロールマスター２０が接続される電源ボックスＥＢ側から上記調理器本体１の本体ケース１１内遮熱容器１２部分を後端側に延び、同後端側でユーターンして前端側電源ボックスＥＢの所定距離手前に戻り、同電源ボックスの手前で再びユーターンして再度後端側に延び、同後端側で再度ユーターンして前端側電源ボックスＥＢ内に戻ることにより、全体として略平面Ｙ字形に配設され、遮熱容器１２内所定のポイント位置で、上記複数の電熱ヒータ支持部材８，８・・により支持されて、その上部側に載置される上記平面プレート２、または受けプレート３の一部、たこ焼きプレート４、波形プレート５等のプレート部全体を均一に加熱するようになっている。
【００４２】
また、受けプレート３は、上記電熱ヒータ７の配設面上方部に載置され、外周部の左右両端側に把手３Ｌ，３Ｒを備えるとともに、その底面プレート３ｂ中央側に調理用途の異なる各種交換プレート嵌合用の開口部３ｃを有し、かつ所定の高さ上方に延びた上端側開口部外周に所定幅の外枠部（外周縁部）３ａを備えている。そして、該受けプレート３の底面プレート３ｂ側の開口部３ｃに対して、例えば図５のように、たこ焼きプレート４（図５の右側上半分に図示）および波形プレート５（図５の左側上半分に図示）が任意に選択されて嵌合されるようになっている。なお、符号４Ｒは、たこ焼きプレート４の右側の把手、５Ｌは波形プレート５の左側の把手を示している。
【００４３】
また、上記蓋体６は、例えば鋼板製で、上述の受けプレート３又は平面プレート２とほぼ同じ平面形状の部材となっており、その外周端部には補強用等の機能を有するカール部６ｂが形成されている。そして、その全体の断面形状は、中央部が緩やかに盛り上がった円弧状に形成されていて、その中央部には、裏面側に凸で、表面側に凹のフラットな構造の把手取付部６ａが設けられ、該把手取付部６ａに対して、蓋把手部５０がビスにより一体的に取り付けられている。
【００４４】
上記本体ケース１１には、例えば図３に示すように、左右長手方向の両端部中央に前後方向（図面の上下方向）に所定の間隔を置いて係合部材取付部１６，１６，１７，１７および係合部材収納溝１８，１８，１９，１９が設けられている。また、一方側のそれら係合部材取付部１７，１７間には、ヒータ用電源ボックスＥＢおよびコントロールマスター２０嵌装用の所定の幅の開口２０ａが形成されている。さらに、底部中央には、放熱用の開口１１ｂが形成されている。
【００４５】
そして、同左右両側の係合部材取付部１６，１６，１７，１７部分には、例えば図４に示すように、レバー構造の係合部材（ロックレバー）２１，２２（図４参照）が内外方向に傾倒可能なように回転自在に枢支されるようになっている。
【００４６】
すなわち、上記本体ケース１１の係合部材収納溝（係合部材２１，２２を非使用時において下方側に垂設状態で収納しておく溝空間）１８，１８，１９，１９を形成している外側の縦壁部１８ａ，１８ａ，１９ａ，１９ａの上端には、それぞれ図６、図７に示す上記係合部材２１，２２の左右両端側取付軸２１ａ，２１ｂ，２２ａ，２２ｂが嵌合する円弧状の凹溝１８ｂ，１８ｂ，１９ｂ  １９ｂが形成されている一方、上記縦壁部１８ａ，１８ａ，１９ａ，１９ａには、所定の間隔で側方に隣接して本体ガード１３等取付用のスタッド軸構造の円筒状のボス部２３ａ，２３ｂ，２４ａ，２４ｂが略同じ高さに立設されている。このボス部２３ａ，２３ｂ，２４ａ，２４ｂのうち、それぞれ共通する何れか一方側（図４、図６、図７で言うと図示上方側）のもの２３ａ，２４ａには、それぞれ上記縦壁部１８ａ，１９ａ側に所定幅延びる薄型構造の干渉用リブ２５，２６が上記ボス部２３ａ，２４ａの上面よりも少し高く延びる形で一体に成型されている。これら干渉用リブ２５，２６は、補強のため、直交する左右両方向にもリブ片を形成し、全体として平面視十字形状のものとなっている。
【００４７】
一方、上記左右両側一対のレバー構造の係合部材２１，２２は、例えば図８に示すように、それぞれ全体として正面視コの字形の形状をなし、その左右両側片（図示前後両側片）２１ｃ，２１ｄ，２２ｃ，２２ｄの各下端側外側面には各々異なる長さの取付軸２１ａ，２１ｂ，２２ａ，２２ｂを一体に成型して構成されている（図８は、図４の右側のもので代表して、その構成を示している）。すなわち、上記長い方の取付軸２１ｂ，２２ｂは、凹溝１８ｂ，１９ｂ外側との係止用リブａ部分からｂ部分が余分に長く延びている。
【００４８】
これら長短（短長）２種の取付軸２１ａ，２１ｂ，２２ａ，２２ｂは、それぞれ短かい方の取付軸２１ａ，２２ａが、上記干渉用リブ２５，２６が設けられている方の凹溝１８ｂ，１９ｂに係合されるようになっており（そのように予じめ設定されており）、そのように設定通りに係合された時には、同取付軸２１ａ，２２ａが上記干渉用リブ２５，２６に何れも干渉することなく適切に嵌合され、自由に回動可能に支持されることとなっている。
【００４９】
＜交換プレート収納時の構成＞
ところで、上述の各プレート２〜５をそのまま積層したスタック状態での収納は、収納作業が容易で、非使用時の一時的な保管には便利であるが、同スタック収納状態では、ちょうど上下に対向する位置関係にある上記受けプレート３に嵌合されたたこ焼きプレート４、又は波形プレート５と上記蓋体２との間には、比較的に大きな隙間があるが、これは平置き状態では問題とならない。しかし、後述するような縦置き状態に収納すると、ガタ付きやズレが生じ、また相互のプレート同士が摺動し合って、表面に傷が生じる問題がある。これらの問題は、引っ越し時等の運搬時にはより深刻である。
【００５０】
そこで、本実施の形態では、例えば図９〜図１３に示すような、合成樹脂製の交換プレート収納ボックス３０を使用した安定した収納構造を採用している。
【００５１】
すなわち、この収納ボックス３０は、例えば図９〜図１３に示すように、下部側に位置して上述のたこ焼きプレート４、上部側に位置して波形プレート５を順次積層状態で収納する下部側カバー部材３１と、上部側に位置して上記積層されたたこ焼きプレート４、波形プレート５の上部を覆う上部側カバー部材３２との一対のカバー部材３１，３２を相互に開閉可能に（折り曲げ可能に）蝶着部（樹脂ヒンジ部）３３を介して合成樹脂により一体成型して構成されている。
【００５２】
これら上下各カバー部材３１，３２は、それぞれ所定の深さを有する長方形状の皿型構造をなし、上記蝶着部３３を境として相互に対向する方向に折り曲げられて（閉成されて）相互に嵌合した状態では、上記たこ焼きプレート４および波形プレート５の２枚のプレートを重合状態で上下はもちろん、前後左右何れの方向にもガタ付きなく収納するのに適した交換プレート収納ボックス３０を形成するようになっている。
【００５３】
先ず、下部側カバー部材３１は、例えば図９〜図１３に示すように、そのカバー面部分（凹部面部分）に、所定の高さ、所定の幅の板状の補強用リブ３４，３４・・が前後左右にクロスして正格子状に設けられており、これら各格子間の方形空間３１ｄ，３１ｄ・・部分は、上記収納されるたこ焼きプレート４の下面側のドーム状の凸部７０，７０・・に対応するエリア部分が上下両面側に開口したスルーホール構造に形成され、同たこ焼きプレート４の凸部７０，７０・・の全体が正確に嵌合されて、確実に位置決め固定されるようになっている。しかも、上記方形空間３１ｄ，３１ｄ・・は、各交換プレート（たこ焼きプレート４および波形プレート５）を収納した状態においては、その４角に空気流通空間ができ、交換プレート収納ボックス３０の内外を連通させる通気口としての作用をも有している。
【００５４】
さらに、同下部側カバー部材３１における上記方形空間３１ｄ，３１ｄ・・（格子部）の外側を囲む周方向部分は、その４方外周部全体に亘って、上記上下方向の縦壁構造のリブ３４，３４・・・に代えて平面壁構造の平面リブ３５，３５・・・により形成された方形空間３１ｅ，３１ｅ・・が設けられている。この方形空間３１ｅ，３１ｅ・・の平面リブ３５，３５・・・部分の方形の開口は、たこ焼きプレート４のドーム状の凸部７０，７０・・・等収納される交換プレート４，５に対する新たな通気口となっている。
【００５５】
この格子部素子の平面リブ３５，３５・・・は、もちろん上記同様の縦壁構造のリブ３４，３４・・・とすることも可能どあるが、平面リブ３５，３５・・・とした方が、成型時の樹脂の流動性が良くなるメリットを有している。
【００５６】
これら方形空間３１ｄ，３１ｄ・・・、３１ｅ，３１ｅ・・・を有するカバー面凹部の外周は、所定の高低寸法差を有する段部３１ｃ部分が図９のように受けプレート３の底部プレート３ｂの開口３ｃに嵌合される。また、下部側カバー部材３１の長手方向両端部の中央には、上記収納される各交換プレート４，５各々の長手方向両端部側の把手部４Ｌ，４Ｒ、５Ｌ，５Ｒ部分に対応した把手カバー部３１ａ，３１ａが対応する寸法量だけ突出して設けられている。
【００５７】
さらに、その長手方向の非蝶着部側側壁部には、長手方向に所定の間隔を置いて一対のロック片３１ｂ，３１ｂが設けられている。
【００５８】
一方、上部側カバー部材３２におけるカバー面の大部分には、所定の幅の板状の補強用リブ３６，３６・・が正格子状に設けられており、これら各格子間の方形空間部分は、収納された交換プレート４，５の乾燥を促進させる多数の通気口３２ｃ，３２ｃ・・とされている。そして、同上部側カバー部材３２の上記格子部外周囲には、内に凹、外に凸の環状部３７が設けられ、その長手方向両端側中央には、上記下部側カバー部材３１の場合と同様の把手カバー部３２ａ，３２ａが相互に連続する状態で設けられている。また、同上部側カバー部材３２の非蝶着部側側壁部には、上記下部側カバー部材３１側のロック片３１ｂ，３１ｂが係合される一対のロック片係合溝３２ｂ，３２ｂが同様の間隔を保って設けられている。
【００５９】
さらに、上記環状部３７には、上記通気口３２ｃ，３２ｃ・・と上記把手カバー部３２ａ，３２ａの一方側との間において長手方向に所定の幅の幅広部３７Ａが形成されており、該幅広部３７Ａの表面には、この加熱調理器に付属される調理用ヘラ４０をセットするためのヘラ収納凹部３８が形成されている。該ヘラ収納凹部３８は、羽子板形状とされており、上記調理用ヘラ４０におけるヘラ本体部４０ａを位置決め固定する幅広なヘラ本体収納部３８ａと、該ヘラ本体収納部３８ａに連続して上記調理用ヘラ４０の柄部４０ｂを位置決め固定する柄部収納部３８ｂとからなっており、上記ヘラ本体収納部３８ａには、調理用ヘラ４０のヘラ部４０ａの先端両角部を係合させる係合爪４１，４１が設けられる一方、上記柄部収納部３８ｂには、上記調理用ヘラ４０の柄部４０ｂを係止する係止爪４２，４２が設けられている（図１４参照）。
【００６０】
そして、これら下部側カバー部材３１および上部側カバー部材３２は、上記それらの中間の蝶着部３３を回動支点として開閉可能であり、例えば図１１のように開放展開された状態から、図１０、図１４のように閉成ロックされた収納ボックス状態に任意に開閉することが可能となっている。
【００６１】
なお、図１２および図１３は、交換プレート収納ボックス３０閉成後のロック片３１ｂ，３１ｂのロック片係合溝３２ｂ，３２ｂへの係合操作を示している。
【００６２】
したがって、以上の構成では、先ず図１１の開状態において、上記下部側カバー部材３１内にたこ焼きプレート４を入れて、その下面側ドーム状の凸部７０，７０・・を補強用リブ３４，３４・・によって構成された上記方形の格子空間３１ｄ，３１ｄ・・内に確実に嵌合して位置決め固定する。そして、その後、その上に波形プレート５を外形位置、把手位置を合わせて載置重合する。この状態では、それら各プレート４，５の左右両端側の各把手４Ｌ，４Ｒ、５Ｌ，５Ｒも各々重合状態で把手カバー部３１ａ，３１ａ部分に正確に嵌合された状態となる。
【００６３】
そこで、次に上記上部側カバー部材３２を上記下部側カバー部材３１側に閉成し、例えば図１２から図１３のように、そのロック片３１ｂ，３１ｂをロック片係合溝３２ｂ，３２ｂに係合すると、例えば図９、図１４のように、交換プレート収納ボックス３０内に、上記たこ焼きプレート４、波形プレート５が、ガタ付きなく、極めて安定した状態で収納されることになる。
【００６４】
そして、この交換プレート収納ボックス３０が、さらに調理器本体１の上部側に平面プレート２を介して載置されている受けプレート３の底部プレート３ｂの開口部３ｃ部分に嵌合される。
【００６５】
以上のように、この出願の実施の形態にかかる加熱調理器は、調理プレートと、該調理プレートが載置される調理器本体と、該調理器本体の内側に配設され、上記調理プレートの底面に接触して上記調理プレートを加熱する電熱ヒータとを備え、上記調理プレートを、上記調理器本体に対してセットされる受けプレートと、該受けプレート底部の開口部を介し調理用途に応じて任意にセットされる複数枚の交換プレートとにより構成してなる加熱調理器において、収納時には、上記複数枚の交換プレートは、その重合状態において、それらの上下両面が上下一対のカバー部材からなる収納ボックスに収納された状態で、上記枠プレートと蓋体との間に収納されるように構成されており、上記収納ボックスには、上記交換プレートの乾燥を促進させる通気口を設けて構成されている。
【００６６】
このような構成では、先ず複数枚の交換プレートが上下一対のカバー部材からなる収納ボックス内に、ガタ付きなく安定した状態で収納され、相互の摺動による傷の発生が防止される。しかも、同複数枚の交換プレートは、上記上下一対のカバー部材からなる収納ボックス内に収納された状態で、調理器本体側にセットされた受けプレートと蓋体との間にガタ付きなく安定して収納固定される。
【００６７】
さらに、上記収納ボックスには、上記交換プレートの乾燥を促進させる通気口を設けて構成されているので、収納ボックス内と外気との通気性が大幅に向上することとなり、濡れた状態で交換プレートを収納したとしても、収納ボックス内と外方との通気性が確保されることとなる。その結果、収納された交換プレートの乾燥性が向上するとともに、収納ボックスの軽量化をも図ることができる。
【００６８】
また、収納ボックスの適所に、加熱調理器に付属される調理用ヘラを収納する収納箇所を設けたことにより、調理用ヘラが常に収納ボックスと一緒に保管可能となるところから、従来のように別の場所に保管した調理用ヘラを探さなくともよくなり、調理用ヘラの収納性、保管性が向上する。その結果、ユーザの使い勝手も向上することとなる。
【００６９】
なお、以上の説明では、交換プレート収納ボックス３０のカバー部材３２の表面にヘラ４０を収納するようにしたが、これは逆に内面側に収納するようにすることも可能である。
【００７０】
＜変形例１＞
次に図１５には、上述した調理用ヘラ４０の収納方法の変形例１の構成が示されている。
【００７１】
この場合、調理器本体１の裏面（即ち、本体ケース１１内遮熱容器１２の底面１２ｂ）中央部に、フック５１ａ，５１ａ，５１ｂを設けておき、該フック５１ａ，５１ａ，５１ｂに調理用ヘラ４０の各部を着脱可能に固定するようにしている。
【００７２】
もちろん、この場合、縦置き状態で本体ケース１１の裏面側から突出しないようにする。
【００７３】
＜変形例２＞
また、図１６には、上述した調理用ヘラ４０の収納方法の変形例２の構成が示されている。
【００７４】
この場合、調理器本体１の裏面（即ち、本体ケース１１の下面）側開口部１１ｂ部分に、長手方向に所定の間隔を置いて２本のゴムバンド（エキスパンダー）５２，５２を設けておき、該ゴムバンド５２，５２の内側遮熱容器１２の底面１２ｂとの間に調理用ヘラ４０を着脱可能に挟み込んで固定するようにしている。
【００７５】
＜変形例３＞
さらに、図１７には、上述した調理用ヘラ４０の収納方法の変形例３の構成が示されている。
【００７６】
この場合、上述した蓋体６の蓋把手部５０の軸体部分に調理用ヘラ４０の柄部４０ｂを差し込む挿入穴６０を形成しておき、該挿入穴６０に調理用ヘラ４０の柄部４０ｂ部分を差し込んで収納するようにしている。この場合、ヘラ４０のくの字形状を蓋体６の傾斜面に沿わせることにより、外方に突出させずに済むようになる。
【００７７】
なお、図中の符号６１は、蓋体６の一側に設けられた縦置き用の脚部であり、調理器本体１側の縦置き用脚部１５ｂ，１５ｂと共同して、加熱調理器１全体を略垂直に安定して支持することができる。
【００７８】
このように、蓋体６の一側に自立用の脚部６１を有する場合、蓋体６を単独で自立させて置き、そこに不要なヘラ４０を収納して置くこともできる。
【００７９】
また、逆に調理器収納時のヘラ４０の格納は、上述のように交換プレート収納ボックス３０部分のヘラ収納部３８を利用して行うが、ヘラ４０を使う調理時のヘラ４０の仮置き場所として上記蓋体６の把手部５０を利用するようにすることも可能である。
【００８０】
＜変形例４＞
さらに、また同様のヘラ４０の仮収納（仮置き）は、例えば一例として図５中の符号６０Ａに示すように、調理器本体１側本体ガード１３のコーナー部分（もちろんコーナー部に限らず周方向の何処でも良い）に、ヘラ挿入口を形成し、同挿入口部分にヘラ４０の柄部４０ｂを差し込んで置くことによっても実現することができる。
【００８１】
上記各変形例においても、調理器本体１と調理用ヘラ４０とを一体に保管できることとなり、従来のように調理用ヘラ４０を探さなくともよくなり、調理用ヘラ４０の収納性、保管性が向上する。その結果、ユーザの使い勝手も向上することとなる。
【００８２】
（２）  第２の実施の形態
次に図１８〜図２４には、本願発明の第２の実施の形態にかかる加熱調理器が示されている。
【００８３】
＜交換プレート収納状態の構成：図１８参照＞
この実施の形態の場合、交換プレート収納ボックスは、例えば図１８に示すように、上述の複数枚の交換プレート（たこ焼きプレート４および波形プレート５）を、上述と同様の重合状態において、同複数枚の交換プレート４，５の両端部（把手４Ｌ，４Ｒ、５Ｌ，５Ｒ側）のみを一括りに纏めて一体化し、上述の実施の形態１の場合と同様に当該交換プレート収納ボックスの両端間中央部に開放部（隙間）を介在させたものであり、交換プレート収納ボックス両端間中央部は、全体的に開放状態とされている。
【００８４】
すなわち、この実施の形態の交換プレート収納ボックスは、上記重ねられた複数枚の交換プレート４，５の把手側端部のみを各々一括りに纏めて一体化し、上述の受けプレート３と強度の高い蓋体端部との間に収納する相互に独立した左右一対の収納ボックスユニット３０Ｌ，３０Ｒにより形成されている。
【００８５】
＜収納ボックスユニットの構成＞
これら左右一対の収納ボックスユニット３０Ｌ，３０Ｒは、例えば図１９に示すように、一方側が開放された断面がコ字状で、かつ平面視もコ字状の合成樹脂製の袋部材からなっており、その上壁面３０ａ部分には、幅方向（前後方向）中央部に位置して交換プレート４，５の把手４Ｌ，４Ｒ、５Ｌ，５Ｒ部分が挿入係合される把手係合口（背面側）３０ｎを有する把手挿入用の立ち上げ部３０ｂが形成され、該立ち上げ部３０ｂを挟む幅方向の両側に位置して収納ボックスユニット上壁面３０ａの変形防止用の窪み部（内側に膨出した補強用リブ：これは波形プレート５の挿入端部押えとしても機能する）３０ｃ，３０ｃが形成されている。また、上記収納ボックスユニット３０Ｌ，３０Ｒの下壁面３０ｄの内端側（プレート側）には、たこ焼きプレート４の下面側ドーム状の凸部７０，７０・・の外周面が嵌合される円弧形状の位置決め部３０ｅ，３０ｅ・・が形成されている。
【００８６】
そして、交換プレート４，５収納時には、この位置決め部３０ｅ，３０ｅ・・が上記たこ焼きプレート４のドーム状の凸部７０，７０・・の外周面に当接係合されることにより、相互の係合関係を確実にしてガタ付きのない安定した収納を可能とするとともに、ユーザによる波形プレート５（上方側に位置）、たこ焼きプレート４（下方側に位置）の上下位置収納間違いや、それら両プレート４，５の上下位置との関係による収納ボックスユニット３０Ｌ，３０Ｒの上下方向の嵌合間違いを確実に防止することができる。
【００８７】
また、図１９、図２０、図２１に示すように、収納ボックスユニット３０Ｌ，３０Ｒの左右両側壁面３０ｊ，３０ｊの上端寄り位置には、先に下側に収納したたこ焼きプレート４上に波形プレート５を図２０の矢印のように挿入して重合するに際して、相互に接触させることなく、所定の隙間を保ってスムーズに波形プレート５を案内するための左右一対のガイドレール３０ｋ，３０ｋが所定の勾配を有して設けられている。
【００８８】
このガイドレール３０ｋ，３０ｋは、後端側アール壁面の所定寸法手前で途切れており、その後端側には同ガイドレール３０ｋ，３０ｋのガイド面よりも所定寸法高さが高くなった所定の高さの乗り上げリブ３０ｇ，３０ｇが後端側アール面まで延びて設けられている。そして、そのガイド面前端は、波形プレート５の左右両端側（把手両端側）のフラットなプレート部周端５ａと把手５Ｌ（５Ｒ）との曲率が小さいながらもアール面となったコーナ部をスムーズに乗り上げさせるようなアール面に形成されている。
【００８９】
この乗り上げリブ３０ｇ，３０ｇは、上記たこ焼きプレート４と波形プレート５との間に最終的に十分な隙間を保持した状態で固定するためのリブであると同時に、例えば図２０から図２１のように、上記波形プレート５が上記収納ボックスユニット３０Ｌ，３０Ｒの最奥部まで挿入された時に、そのアングル形状に起立する把手５Ｌ，５Ｒを上記立ち上げ部３０ｂの袋部背面側の把手係合口３０ｎの上縁側係合部３０ｍに外側から係合するように突出させ、かつ上昇させる機能を有している。
【００９０】
これにより、収納ボックスユニット３０Ｌ，３０Ｒとたこ焼きプレート４、波形プレート５との嵌合一体化状態は確実となり、容易に外れるようなことはない。
【００９１】
一方、図１９および図２０中の符号３０ｈ，３０ｈは、上記収納ボックスユニット３０Ｌ，３０Ｒの立ち上げ部３０ｂ，３０ｂ下方の下壁面３０ｄ，３０ｄにおける最奥部手前に上下方向に曲げ変形可能な弾性を有して一体形成された、たこ焼きプレート４を位置決め固定するための係合爪である。この係合爪３０ｈ，３０ｈには、例えば図２０に示すように、上下両方向に凸部を有した係合爪部分（前面側が下降傾斜）を上下方向の曲げ弾性を有する板状の支持片３０ｐで支持するように構成されており、凸部内側に上記たこ焼きプレート４の周端部４ａ下面側のスカート部４ｃを位置させて係止するようになっている。
【００９２】
そして、同たこ焼きプレート４は、その把手４Ｌ，４Ｒ側端部を上記収納ボックスユニット３０Ｌ，３０Ｒ内に挿入し、その周端部４ａ側下面のスカート部４ｃ下端を、図２０のように上記係合爪３０ｈ，３０ｈを乗り越えて、その内側に係合するとともに、アングル形状に起立する把手４Ｌ，４Ｒ部分を上記立ち上げ部３０ｂ背面側の把手係合口３０ｎ下部側の所定寸法外方側に膨出された開口部３０ｔ部分から外方に突出させた状態で位置決めされ、かつ係合固定される。
【００９３】
なお、このたこ焼きプレート４と収納ボックスユニット３０Ｌ，３０Ｒの幅方向（前後方向）の位置決め固定は、図２２に示されるように、たこ焼きプレート４の周端部４ａの幅方向での係合および上記ドーム状の凸部７０，７０・・と上記位置決め部３０ｅ，３０ｅ・・との嵌合により行われる。また、上下方向の位置規制およびガイドは、上述したガイドレール３０ｋ，３０ｋと下壁面３０ｄ，３０ｄとの間に、上面側外周のリブ４ｂと下面側外周のスカート部４ｃが係合されることによって実現される（図２２参照）。
【００９４】
また、上記収納ボックスユニット３０Ｌ，３０Ｒの開口縁両端側には、それぞれたこ焼きプレート４又は波形プレート５が嵌合される上記受けプレート３の側壁面（傾斜面）３ｄ，３ｄ側に当接されて位置決めを行う縦長直角三角形形状の凸片３０ｉ，３０ｉが幅方向（前後方向）外方に一体に突設されている。この凸片３０ｉ，３０ｉは、それら交換プレート４，５の端部を一括りに纏めて、上述の図１８に示すように、収納ボックスユニット３０Ｌ，３０Ｒを一体にセットした状態で、上記受けプレート３と蓋体６との間に収納した状態においては、例えば図２２に示すように、上記蓋体６におけるカール部６ｂ部分に対向するようになっている。
【００９５】
このような構成によれば、上記複数枚の交換プレート４，５の把手側端部のみを当該端部のみに対応した収納ボックスユニット３０Ｌ，３０Ｒで一括りに纏めて一体化して、受けプレート３と蓋体６との間に隙間なく安定した状態で収納されることから、上記複数枚の交換プレート４，５が受けプレート３内に樹脂材を介してガタ付きなく安定した状態でソフトに収納され、相互の摺動等による傷等の発生を確実に防止することができる。
【００９６】
そして、上記複数枚の交換プレート４，５を収納一体化した収納ボックスユニット３０Ｌ，３０Ｒの上記凸片３０ｉ，３０ｉは、同受けプレート３の側壁面３ｄ，３ｄと上記筒状にカーリング加工されている強度の高い蓋体端部のカール部６ｂとの間に収納されており、上記凸片３０ｉ，３０ｉの側部ｂ，ｂ部分全体が上記受けプレート３の側壁面３ｄ，３ｄの全体に当接した状態で、その頂部ａが蓋体６のカール部６ｂに対向するように構成されている。落下時においては、交換プレート４，５を一体化した収納ボックスユニット３０Ｌ，３０Ｒの凸片３０ｉ，３０ｉ部分が受けプレート３の側壁３ｄ，３ｄ部分に衝合した後、又は直接上記剛性が強化されている蓋体６の端部６ｂ部分に衝合することになり、凸片３０ｉ，３０ｉがなくて蓋体６途中の平面部に衝合する場合におけるような蓋体の変形を確実に防止することができる。
【００９７】
なお、上記受けプレート３内における収納ボックスユニット３０Ｌ，３０Ｒ部分の幅方向（前後方向）の位置決めは、上記凸片３０ｉ，３０ｉと受けプレート３の幅方向（前後方向）両側の側壁３ｄ，３ｄとの当接により行われる。
【００９８】
さらに、上記収納ボックスユニット３０Ｌ，３０Ｒにおける窪み部３０ｃ（図１９のＸ，Ｘ部）においては、例えば図２３に示すように、波形プレート５のフラットな把手側周端部５ａを窪み部３０ｃの内面側に圧入することにより、上方側からの押圧力（挟着力）を得て波形プレート５の固定力を補うようになっており、また上記収納ボックスユニット３０Ｌ，３０Ｒにおける立ち上げ部３０ｂの両端部（図１９のＹ，Ｙ部）においては、例えば図２４に示すように、当該立ち上げ部３０ｂの上壁面３０ａ両側の内面側下方にリブ３０ｒ，３０ｒを一体に突設し、波形プレート５の把手側周端部５ａを同リブ３０ｒ，３０ｒの内面側に圧入することにより、やはり上方側からの押圧力（挟着力）を得て波形プレート５の固定力を補うようになっている。
【００９９】
以上のような構成によれば、複数枚の交換プレート４，５の把手側端部のみを当該端部のみに対応した収納ボックスユニット３０Ｌ，３０Ｒ一括りに纏めて一体化し、受けプレート３と蓋体６との間に収納されることから、複数枚の交換プレート４，５が収納ボックスユニット３０Ｌ，３０Ｒ内にガタ付きなく安定した状態でソフトに収納され、相互の摺動による傷等の発生を防止することができる。
【０１００】
しかも、上記収納ボックスユニット３０Ｌ，３０Ｒは、上記交換プレート４，５の把手側端部のみを当該端部のみに対応する収納ボックスユニット３０Ｌ，３０Ｒで一括りに纏めるようになっており、交換プレート４，５両端の収納ボックスユニット３０Ｌと収納ボックスユニット３０Ｒとの間には何もなく、フリーの開放空間となっており、濡れた状態で交換プレート４，５を収納したとしても、収納ボックスユニット３０Ｌ，３０Ｒ内と外方との間は全くフリーな状態で通気性が確保されることになり、上述のものに比べて遥かに通気性が大きく、十分に収納された交換プレート４，５の乾燥性が向上するとともに、収納ボックスの軽量化、低コスト化をも図ることができる。
【０１０１】
また、その場合において、収納時には、上記複数枚の交換プレート４，５は、その重合状態において、各交換プレート４，５の端部を当該端部のみに対応する収納ボックスユニット３０Ｌ，３０Ｒで一括りに纏めて一体化するに際し、収納ボックスユニット３０Ｌ，３０Ｒとの間に隙間を介在させた状態で一括りに纏めて収納されるようにしたことにより、交換プレート４，５と収納ボックスユニット３０Ｌ，３０Ｒとが直接触れ合うことがなくなり、収納ボックスユニット３０Ｌ，３０Ｒと交換プレート４，５とが直接接触して両者に傷が付くのを防止することができる。
【０１０２】
また、複数枚の交換プレート４，５は、受けプレート３と蓋体６の端部（具体的には、カール部６ｂ）との間に収納されるように構成されているので、落下時においても、交換プレート４，５が剛性が強化されている蓋体６の端部６ｂと衝合することとなり、蓋体６の変形を防止することができる。
【０１０３】
その他の構成および作用効果は、上述した第１の実施の形態におけるものと同様なので、その説明を省略する。
【０１０４】
＜各種変形例＞
また、本願発明の構成は、決して上記各実施の形態において説明したものに限定されるものではなく、その発明の要旨を逸脱しない範囲において、適宜設計変更が可能なことは勿論である。
【符号の説明】
【０１０５】
１は調理器本体
２は平面プレート
３は受けプレート
４はたこ焼きプレート
５は波形プレート
６は蓋体
６ｂはカール部
７は電熱ヒータ
１１は本体ケース
３０は収納ボックス
３０ａは上壁面
３０ｂは立ち上げ部
３０ｃは窪み部
３０ｄは下壁面
３０ｅは位置決め部
３０ｇは乗り上げリブ
３０ｈは位置決め用爪
３０ｉは凸片
３０ｋはガイドレール
３１は下部カバー部材
３１ｅは通気口
３２は上部カバー部材
３２ｃは通気口
３８はヘラ収納凹部
３８ａは本体収納部
３８ｂは柄収納部
４０は調理用のヘラ
４０ａはヘラ本体部
４０ｂは柄部
７０はたこ焼プレートの凸部
【図１】
0005983067.tif 000002
【図２】
0005983067.tif 000003
【図３】
0005983067.tif 000004
【図４】
0005983067.tif 000005
【図５】
0005983067.tif 000006
【図６】
0005983067.tif 000007
【図７】
0005983067.tif 000008
【図８】
0005983067.tif 000009
【図９】
0005983067.tif 000010
【図１０】
0005983067.tif 000011
【図１１】
0005983067.tif 000012
【図１２】
0005983067.tif 000013
【図１３】
0005983067.tif 000014
【図１４】
0005983067.tif 000015
【図１５】
0005983067.tif 000016
【図１６】
0005983067.tif 000017
【図１７】
0005983067.tif 000018
【図１８】
0005983067.tif 000019
【図１９】
0005983067.tif 000020
【図２０】
0005983067.tif 000021
【図２１】
0005983067.tif 000022
【図２２】
0005983067.tif 000023
【図２３】
0005983067.tif 000024
【図２４】
0005983067.tif 000025